(57)【要約】  個々のユーザ端末から得られるユーザ情報のストリーミングデータを共有できるソーシャル・ネットワーキング・サービス（ＳＮＳ）のユーザーインタフェースシステムを提供する。個々のユーザ情報としての静止画像表示エリアやアバター画像表示エリアがアイコンの如くユーザ端末の画面上の任意の位置に移動可能で、表示エリアにはストリーミングデータの動画像が表示され、ユーザ端末に接続されるスピーカーには個々のユーザ端末に接続される個々のマイクからリアルタイムに取得したストリーミングデータの音（音声を含む）が出力される。表示エリアは任意の表示領域サイズにリサイズ可能で、静止画像表示若しくはアバター画像表示と、ストリーミングデータの動画像表示とを選択切替可能である。ストリーミングデータの動画像はユーザ端末に接続されるカメラからリアルタイムに取得したストリーミング映像データである。
2015059736.tif 000002
【特許請求の範囲】
【請求項１】
ソーシャル・ネットワーキング・サービス（ＳＮＳ）におけるユーザーインタフェースシステムであって、
個々のユーザ情報を表示する静止画像表示エリア若しくはアバター画像表示エリアがアイコン化され、アイコンの如くユーザ端末の画面上の任意の位置に移動可能であり、
該アイコン化された表示エリアに、ＳＮＳシステムに接続しているユーザ端末のうち表示すべきユーザ情報のユーザ端末に接続されたカメラ手段から取得したストリーミングデータの動画像が出力され表示されることを特徴とするＳＮＳユーザーインタフェースシステム。
【請求項２】
ユーザ端末に接続されるスピーカー手段に、ＳＮＳシステムに接続している各ユーザ端末に接続されるマイク手段からリアルタイムに取得したストリーミングデータの音（音声を含む）が出力される、
ことを特徴とする請求項１に記載のＳＮＳユーザーインタフェースシステム。
【請求項３】
前記アイコン化された表示エリアは、任意の表示領域サイズにリサイズ可能であることを特徴とする請求項１又は２に記載のＳＮＳユーザーインタフェースシステム。
【請求項４】
前記アイコン化された表示エリアに対して、静止画像表示若しくはアバター画像表示と、ストリーミングデータの動画像表示とを選択切替可能であることを特徴とする請求項１〜３の何れかに記載のＳＮＳユーザーインタフェースシステム。
【請求項５】
前記ストリーミングデータの動画像は、ユーザ端末に接続されるカメラ手段からリアルタイムに取得したストリーミングデータの動画像であることを特徴とする請求項１〜４の何れかに記載のＳＮＳユーザーインタフェースシステム。
【請求項６】
ユーザ端末に接続される個々のマイク手段からリアルタイムに取得したストリーミングデータの音（音声を含む）が出力される際に、音を取得する当該ユーザ端末のユーザ情報の前記表示エリアを音の強弱に合せて形態変形（色彩の変化、形状の変化、エリアのリサイズを含む）または移動させることを特徴とする請求項１〜５の何れかに記載のＳＮＳユーザーインタフェースシステム。
【請求項７】
前記アイコン化された表示エリア毎にミュート設定が可能であり、ミュート設定がされた表示エリアに表示すべきユーザ情報のユーザ端末に接続されたマイク手段からリアルタイムに取得したストリーミングデータの音（音声を含む）が出力されないことを特徴とする請求項２に記載のＳＮＳユーザーインタフェースシステム。
【請求項８】
ソーシャル・ネットワーキング・サービス（ＳＮＳ）サーバと複数のユーザ端末とがネットワークに接続されたＳＮＳシステムにおけるＳＮＳユーザーインタフェース方法であって、
ユーザ端末がユーザＩＤを用いてＳＮＳシステムにログインするステップと、
ユーザ端末に付設されたカメラからリアルタイムに映像データを取得するステップと、
ユーザ端末がＳＮＳサーバに該映像データのストリーミングデータを、ユーザＩＤをヘッダ情報として付加して送信するステップと、
ＳＮＳサーバが前記ストリーミングデータを受信するステップと、
ＳＮＳシステムにログインしている全てのユーザ端末に動画像の前記ストリーミングデータを送信するステップと、
ユーザ端末がＳＮＳサーバから動画像のストリーミングデータを受信するステップと、
ユーザ端末は受信したストリーミングデータのヘッダ部からユーザＩＤを抽出するステップと、
ユーザ端末のＳＮＳシステムのウィンドウ画面に該ユーザＩＤのアイコンが表示されているかを判定するステップと、
該ユーザＩＤのアイコンが表示されている場合に、該ユーザＩＤのアイコンの画像表示エリアに、受信したストリーミングデータの動画像を表示するステップと、
を備えたことを特徴とするＳＮＳユーザーインタフェース方法。
【発明の詳細な説明】
【技術分野】
【０００１】
本発明は、ソーシャル・ネットワーキング・サービス（ＳＮＳ）におけるユーザーインタフェースの技術に関するものである。
【背景技術】
【０００２】
音楽データや映像データなどのストリーミングデータを得るためのアクセスは、ユーザフレンドリーになるように工夫が成されてきた。ストリーミングデータの内容を示すためには、単にタイトル名などのテキスト情報だけでは不十分である。そのため、そのストリーミングデータのアイコンに、ストリーミングデータのコンテンツに合った静止画像や一部の動画像を表示するようにして、ストリーミングデータのコンテンツ内容をユーザに連想しやすいものにしているものが存在する。【０００３】
例えば、サーバからストリーミング映像データをクライアント側（ユーザ端末）が取得して再生する際に、該ストリーミング映像データの一部のデータ又は類似したデータで構成される動画のデータをアイコン用データとして、該ストリーミング映像データが取得できるアドレス及びファイル名とともにクライアント側が保持し、その保持されたデータに基づいた動画をアイコンとして画面に表示させるものが知られている（特許文献１）。これにより、動画によるアイコンが表示されるようになり、その動画表示から、ストリーミング映像データの概要をユーザが容易に把握・連想できるようになる。【０００４】
一方、昨今のソーシャル・ネットワーキング・サービス（ＳＮＳ）においては、図３に示すようなユーザーインタフェース画面であり、参加するユーザ情報の表示方法としては、写真などの静止画像やアバター画像などを表示させて、ユーザが誰の投稿なのかを連想させ易くしている。
また、静止画像やアバター画像の表示エリアは、投稿エリアの近傍に設けられ、スクロールなどで画面上の位置を移動することはできる。
しかしながら、静止画像やアバター画像の表示エリアをスクロールなどで画面上移動させることはできるものの、アイコンのように自由に画面上の位置をドラッグさせて移動できるものは存在しない。また、ユーザ情報として静止画像やアバター画像だけではなく、ユーザのリアルタイムな動画像を表示することができれば、よりユーザの情報量が増加し、ユーザ情報の発信力が増大することができる。
【先行技術文献】
【特許文献】
【０００５】
【特許文献１】特開２００４−１１２０８６号公報
【発明の概要】
【発明が解決しようとする課題】
【０００６】
上述したように、現状のソーシャル・ネットワーキング・サービス（ＳＮＳ）においては、ユーザ情報として静止画像やアバター画像の表示エリアは、アイコンのように自由に画面上の位置をドラッグさせて移動することはできない。そのためソーシャル・ネットワーキング・サービス（ＳＮＳ）のユーザは自身の端末の画面上において、固定された枠組みでしか、他人の情報を閲覧することができないといった問題がある。【０００７】
また、ユーザ情報として動画像を表示しようとする場合、例えば、テキストや静止画像にリンクが張られたところをクリックして別ウィンドウを表示させて動画像を再生する方法が一般的であり、ソーシャル・ネットワーキング・サービス（ＳＮＳ）における静止画像やアバター画像の表示エリアといった常時表示されているエリアに対して、それぞれのユーザの動画像を表示することは行っていない。【０００８】
今後、益々進化していくソーシャル・ネットワーキング・サービス（ＳＮＳ）においては、リアルタイムなユーザ情報を発信することが重要である。そのため、個々のユーザ端末から得られる映像や音声などのストリーミングデータをソーシャル・ネットワーキング・サービス（ＳＮＳ）のユーザーインタフェースに取り込んでいく必要がある。【０００９】
上記状況に鑑みて、本発明は、個々のユーザ端末から得られるユーザ情報のストリーミングデータをアイコンのように操作性が豊かな部品として画面上に配置可能で、個々のユーザ情報の映像や音声などを共有できるソーシャル・ネットワーキング・サービス（ＳＮＳ）のユーザーインタフェースシステムを提供することを目的とする。
【課題を解決するための手段】
【００１０】
上記目的を達成すべく、本発明のＳＮＳユーザーインタフェースシステムは、個々のユーザ情報を表示する静止画像表示エリア若しくはアバター画像表示エリアがアイコン化され、アイコンの如くユーザ端末の画面上の任意の位置に移動可能である。そして、該アイコン化された表示エリアに、ＳＮＳシステムに接続しているユーザ端末のうち表示すべきユーザ情報のユーザ端末に接続されたカメラ手段から取得したストリーミングデータの動画像が出力され表示される。【００１１】
ここで、ストリーミングデータの動画像とは、予めカメラ手段により録画あるいは録画データを編集した動画像のストリーミングデータファイルと、Ｗｅｂカメラなどのカメラ手段によってリアルタイムに取得される動画像のストリーミングデータの双方を含む。また、個々のユーザ情報とは、ＳＮＳシステムに参加する関連ユーザの情報である。【００１２】
個々のユーザ情報を表示する静止画像表示エリア若しくはアバター画像の表示エリアを、アイコンの如くユーザ端末の画面上（ここで、画面上とは、ウィンドウ内の画像上のことである。）の任意の位置に移動可能であり、かつ、その表示エリアにユーザ情報のストリーミングデータの動画像が表示されることにより、個々のユーザ端末から得られるユーザ情報のストリーミングデータを共有できるようにする。【００１３】
従来のＳＮＳシステムのような固定エリア（ここでは、スライダーなどでウィンドウ画面を上下・左右にスクロールしてエリアを移動できることは固定の範疇に含む）に表示されるため、画面上の多数のユーザを一度の表示することは困難であった。また、画面上に自由にユーザの画像を配置すること、状況によってユーザの画像を移動・入替することは困難であった。【００１４】
本発明のように、アイコン化して任意の位置に移動可能とすることで、画面上の多数のユーザを一度の表示すること、画面上に自由にユーザの画像を配置すること、状況によってユーザの画像を移動・入替することが可能となる。
そして、アイコン化された表示エリアに、ＳＮＳシステムに接続しているユーザ端末のうち表示すべきユーザ情報のストリーミングデータの動画像が表示されることにより、よりユーザの情報量が増加し、ユーザ情報の発信力が増大し、より密接にユーザ同士が情報を交換することが可能になる。【００１５】
また、本発明のＳＮＳユーザーインタフェースシステムにおいて、ユーザ端末に接続されるスピーカー手段に、ＳＮＳシステムに接続している各ユーザ端末に接続されるマイク手段からリアルタイムに取得したストリーミングデータの音（音声を含む）が出力されることが好ましい。
ここで、ユーザ端末に接続されるスピーカー手段とは、コンピュータに外付けのスピーカー、ヘッドフォン、内蔵スピーカーのいずれも含む。また、ユーザ端末に接続されるマイク手段とは、コンピュータに外付けのマイクロフォンと内蔵マイクロフォンの双方を含む。【００１６】
個々のユーザ情報として、個々のユーザ端末に接続される個々のマイク手段からリアルタイムに取得したストリーミングデータの音（音声を含む）が出力されることにより、画像と音声による情報共有が可能になる。それぞれのユーザが世界中の離れた地点に居たとしても、画面上でリアルタイムに個々のユーザの表情、仕草、声などを多数のユーザで共有できることになる。【００１７】
個々のユーザ情報として、リアルタイムなユーザの動画像に加えて、個々のユーザ端末に接続される個々のマイク手段からリアルタイムに取得したストリーミングデータの音（音声を含む）が出力されることにより、画像と音声による情報共有が可能になる。それぞれのユーザが世界中の離れた地点に居たとしても、画面上でリアルタイムに個々のユーザの表情、仕草、声などを多数のユーザで共有できることになる。【００１８】
また、本発明のＳＮＳユーザーインタフェースシステムにおいて、上記のアイコン化された表示エリアは、任意の表示領域サイズにリサイズ可能であることが好ましい。
アイコン化された表示エリアは、コンピュータ画面のアイコンのように自由にマウス等で移動でき、また任意の表示領域サイズにリサイズできる。表示領域サイズを自由にリサイズできることによりユーザ情報の取得が容易となる。また多数のユーザ情報を１画面に配置でき、同時に多数のユーザ情報を取得することが可能になる。【００１９】
また、本発明のＳＮＳユーザーインタフェースシステムにおいて、上記のアイコン化された表示エリアに対して、静止画像表示若しくはアバター画像表示と、ストリーミングデータの動画像表示とを選択切替可能であることが好ましい。
従来のＳＮＳの静止画像表示若しくはアバター画像表示と、本発明の動画像表示を切り替えできることにより、不要な動画像表示をカットして情報量を制御できる。【００２０】
また、本発明のＳＮＳユーザーインタフェースシステムにおいて、上記のストリーミングデータの動画像は、ユーザ端末に接続されるカメラ手段からリアルタイムに取得したストリーミングデータの動画像であることがより好ましい。
ここで、カメラ手段とは例えばＷｅｂカメラのようなビデオ画像をディジタルデータ化してインターネットを介してコンピュータにデータ伝送できるものである。【００２１】
また、ＳＮＳユーザーインタフェースシステムにおいて、ユーザ端末に接続される個々のマイク手段からリアルタイムに取得したストリーミングデータの音（音声を含む）が出力される際に、音を取得する当該ユーザ端末のユーザの表示エリアを音の強弱に合せて形態変形（色彩の変化、形状の変化、エリアのリサイズを含む）または移動させることがより好ましい。
ここで、表示エリアを音の強弱に合せて形態変形（色彩の変化、形状の変化、エリアのリサイズを含む）させるとは、例えば、表示エリアがリサイズしてピクピクしているような表示になることである。また表示エリアを囲む色や形状が変化してもよい。
また、表示エリアを音の強弱に合せて移動させるとは、例えば、表示エリアが画面上を音の強弱に合せて往復移動し、あたかも振動しているような表示になることである。【００２２】
また、ＳＮＳユーザーインタフェースシステムにおいて、アイコン化された表示エリア毎にミュート設定が可能であり、ミュート設定がされた表示エリアに表示すべきユーザ情報のユーザ端末に接続されたマイク手段からリアルタイムに取得したストリーミングデータの音（音声を含む）が出力されないことが好ましい。
アイコン化された表示エリア毎にミュート設定が可能とは、例えば、アイコン化された表示エリアを右クリックするとミュート設定ＯＮ／ＯＦＦのトグルボタンが表示されることでミュート設定を操作できること等である。
ＳＮＳシステムに接続している全てのユーザ端末のうち、スピーカーから出力される音をアイコン化された表示エリア毎に選択できることで、ユーザ自身が聴講したい音のみを選択できるというメリットがある。【００２３】
次に、本発明のＳＮＳユーザーインタフェース方法について説明する。
本発明のＳＮＳユーザーインタフェース方法は、ＳＮＳサーバと複数のユーザ端末とがネットワークに接続されたＳＮＳシステムにおけるＳＮＳユーザーインタフェース方法であって、以下のステップから構成される。
１）ユーザ端末がユーザＩＤを用いてＳＮＳシステムにログインするステップ
２）ユーザ端末に付設されたカメラからリアルタイムに映像データを取得するステップ
３）ユーザ端末がＳＮＳサーバに該映像データのストリーミングデータを、ユーザＩＤをヘッダ情報として付加して送信するステップ
４）ＳＮＳサーバが前記ストリーミングデータを受信するステップ
５）ＳＮＳシステムにログインしている全てのユーザ端末に動画像の前記ストリーミングデータを送信するステップ
６）ユーザ端末がＳＮＳサーバから動画像のストリーミングデータを受信するステップ
７）ユーザ端末は受信したストリーミングデータのヘッダ部からユーザＩＤを抽出するステップ
８）ユーザ端末のＳＮＳシステムのウィンドウ画面に該ユーザＩＤのアイコンが表示されているかを判定するステップ
９）該ユーザＩＤのアイコンが表示されている場合に、該ユーザＩＤのアイコンの画像表示エリアに、受信したストリーミングデータの動画像を表示するステップ
【発明の効果】
【００２４】
本発明によれば、個々のユーザ端末から得られるユーザ情報のストリーミングデータをアイコンのように操作性が豊かな部品として画面上に配置可能で、個々のユーザ情報の映像や音声などを共有できるといった効果を有する。
【図面の簡単な説明】
【００２５】
【図１】ＳＮＳシステムのシステム構成例
【図２】アイコン化された表示エリアを備えるユーザ端末のウィンドウ画面例
【図３】従来のＳＮＳシステムにおけるユーザ端末のウィンドウ画面例
【図４】実施例１のＳＮＳシステムの処理フロー（１）
【図５】実施例１のＳＮＳシステムの処理フロー（２）
【発明を実施するための最良の形態】
【００２６】
以下、本発明の実施形態について、図面を参照しながら詳細に説明していく。なお、本発明の範囲は、以下の実施例や図示例に限定されるものではなく、幾多の変更及び変形が可能である。
【実施例１】
【００２７】
図１は、ＳＮＳのシステム構成例を示している。図１に示すＳＮＳのシステム構成は、１台のサーバＴ０と、５台の声を発するユーザ端末（Ｔ１〜Ｔ５）と４台の声を発せず傍聴しているユーザ端末（Ｍ１〜Ｍ４）がインターネットで接続されている。ユーザ端末（Ｔ１〜Ｔ５）は、それぞれリアルタイムな画像データ（Ｓ１〜Ｓ５）と音声データ（Ｄ１〜Ｄ５）をサーバＴ０に送信する。そして、サーバＴ０は、ユーザ端末（Ｔ１〜Ｔ５）から送られた画像データと音声データを受信し、それらを５台のユーザ端末（Ｔ１〜Ｔ５）と４台のユーザ端末（Ｍ１〜Ｍ４）の全てにデータ（Ｄｃ）送信する。
リアルタイムな画像データ（Ｓ１〜Ｓ５）はＷｅｂカメラで取得し、音声データはユーザ端末に内蔵されたマイクで取得し、コンピュータでディジタルデータ化してインターネットを介してサーバに伝送される。【００２８】
図３は従来のＳＮＳシステムにおけるウィンドウ画面の一例である。従来のＳＮＳシステムにおけるウィンドウ画面では、写真などの静止画像やアバター画像のユーザ情報の静止（アバタ―）画像表示エリア（２１，２６）が固定的に表示されている。
これらのユーザ情報の静止（アバタ―）画像表示エリア（２１，２６）は、スライダー５３などでウィンドウ画面を上下・左右にスクロールしてエリアを移動できるだけであり、アイコンの如く自由に移動できない。【００２９】
一方、図２は、アイコン化された表示エリアを備えるユーザ端末のウィンドウ画面の一例である。図２では、第１の画面領域１０がサークル形状で、第２の画面領域１２が第１の画面領域１０を取り囲むリングになっている。第１の画面領域１０には、ユーザ情報表示エリア（ここでは、アイコンと呼ぶ。）１０ａ〜１０ｅが領域上に表示されている。また、第２の画面領域１２には、ユーザ情報表示エリア（アイコン）１２ａ〜１２ｇが領域上に表示されている。【００３０】
より詳しくは、第１の画面領域１０のサークル領域内には、ユーザ端末（Ｔ１〜Ｔ５）に対応した５人の発話者（スピーカー）のユーザ情報表示エリア（アイコン）１０ａ〜１０ｅが表示されている。発話者（スピーカー）端末の台数に応じて、表示されるイメージの数が変化する。また、第２の画面領域１２のリング領域内には、ユーザ端末（Ｍ１〜Ｍ４とそれ以外）に対応した傍聴者（リスナー）のユーザ情報表示エリア（アイコン）１２ａ〜１２ｇが表示されている。【００３１】
これらのユーザ情報表示エリア（アイコン）（１０ａ〜１０ｅ，１２ａ〜１２ｇ）は、アイコンとして任意の位置に移動可能であり、図２のように画面上の多数のユーザを一度の表示でき、また、画面上に自由にユーザの画像を配置でき、さらに状況によってユーザの画像を移動・入替することが可能である。【００３２】
これらのユーザ情報表示エリア（アイコン）（１０ａ〜１０ｅ，１２ａ〜１２ｇ）には、ユーザ情報のストリーミングデータの動画像が表示される。これにより、よりユーザの情報量が増加し、ユーザ情報の発信力が増大し、より密接にユーザ同士が情報を交換することが可能になる。ユーザ情報のストリーミングデータには、動画像だけでなく音声データも含まれる。
個々のユーザ情報として、個々のユーザ端末に接続される個々のマイク手段からリアルタイムに取得したストリーミングデータの音（音声を含む）が出力されることにより、画像と音声による情報共有が可能になり、それぞれのユーザが世界中の離れた地点に居たとしても、画面上でリアルタイムに個々のユーザの表情、仕草、声などを多数のユーザで共有できることになるのである。【００３３】
図４，５は、実施例１のＳＮＳシステムの処理フローを示している。
まず、図４の処理フローは、アイコン化された表示エリアに、ＳＮＳシステムに接続しているユーザ端末のうち表示すべきユーザ情報のユーザ端末に接続されたＷｅｂカメラから取得したストリーミングデータの動画像が出力される処理フローを示している。【００３４】
（ステップ１）ユーザ端末がユーザＩＤを用いてＳＮＳシステムにログインする（Ｓ１０１）。
ここで、ユーザＩＤとしては、ユーザを識別するためのユニークな数字や文字列、あるいは、指紋等のユーザを識別できるものであればよい。
（ステップ２）ユーザ端末に付設されたカメラからリアルタイムに映像データを取得する（Ｓ１０３）。
（ステップ３）ユーザ端末がＳＮＳサーバに該映像データのストリーミングデータを、ユーザＩＤをヘッダ情報として付加して送信する（Ｓ１０５）。
（ステップ４）ＳＮＳサーバがストリーミングデータを受信する（Ｓ１０７）。
（ステップ５）ＳＮＳシステムにログインしている全てのユーザ端末に動画像の前記ストリーミングデータを送信する（Ｓ１０７）。
（ステップ６）ユーザ端末がＳＮＳサーバから動画像のストリーミングデータを受信する（Ｓ１０９）。
（ステップ７）ユーザ端末は受信したストリーミングデータのヘッダ部からユーザＩＤを抽出する（Ｓ１１１）。
（ステップ８）ユーザ端末のＳＮＳシステムのウィンドウ画面に、ステップ７におけるヘッダ部から抽出したユーザＩＤのアイコンが表示されているかを判定する（Ｓ１１３）。
（ステップ９）ヘッダ部から抽出したユーザＩＤのアイコンが表示されている場合に、該ユーザＩＤのアイコンの画像表示エリアに、受信したストリーミングデータの動画像を表示する（Ｓ１１５）。ヘッダ部から抽出したユーザＩＤのアイコンが表示されていない場合に、受信したストリーミングデータは破棄する。【００３５】
次に、図５の処理フローは、アイコン化された表示エリアに、ＳＮＳシステムに接続しているユーザ端末のうち表示すべきユーザ情報のユーザ端末に接続されたマイクから取得したストリーミングデータの音声データが出力される処理フローを示している。【００３６】
（ステップ２１）ユーザ端末がユーザＩＤを用いてＳＮＳシステムにログインする（Ｓ２０１）。
（ステップ２２）ユーザ端末に付設されたマイクからリアルタイムに音声データを取得する（Ｓ２０３）。
（ステップ２３）ユーザ端末がＳＮＳサーバに音声データのストリーミングデータを、ユーザＩＤをヘッダ情報として付加して送信する（Ｓ２０５）。
（ステップ２４）ＳＮＳサーバがストリーミングデータを受信する（Ｓ２０７）。
（ステップ２５）ＳＮＳシステムにログインしている全てのユーザ端末に音声データのストリーミングデータを送信する（Ｓ２０７）。
（ステップ２６）ユーザ端末がＳＮＳサーバから音声データのストリーミングデータを受信する（Ｓ２０９）。
（ステップ２７）ユーザ端末は受信したストリーミングデータのヘッダ部からユーザＩＤを抽出する（Ｓ２１１）。
（ステップ２８）ユーザ端末のＳＮＳシステムのウィンドウ画面に、ステップ７におけるヘッダ部から抽出したユーザＩＤのアイコンが表示されているかを判定する（Ｓ２１３）。
（ステップ２９）ユーザ端末のＳＮＳシステムのウィンドウ画面の当該ユーザＩＤのアイコンにミュート設定がされているかを判定する（Ｓ２１５）。
（ステップ３０）ヘッダ部から抽出したユーザＩＤのアイコンが表示されており、かつ、ミュート設定が無い場合に、ユーザ端末のスピーカーに音声のストリーミングデータを出力（Ｓ２１７）。ヘッダ部から抽出したユーザＩＤのアイコンが表示されていない場合やミュート設定がされている場合には、受信した音声データのストリーミングデータは破棄する。
【産業上の利用可能性】
【００３７】
本発明は、ソーシャル・ネットワーキング・サービス（ＳＮＳ）のユーザーインタフェースシステムに有用である。
【符号の説明】
【００３８】
１０  第１の画面領域
１２  第２の画面領域
１０ａ〜１０ｅ，１２ａ〜１２ｇ    ユーザ情報表示エリア（アイコン）
２１，２６  ユーザ情報の静止（アバタ―）画像表示エリア
２２，２７  ユーザ名称の表示エリア
２３，２８  ユーザのメッセージ表示エリア
２４  画像表示エリア
２５  コメントメッセージ表示エリア
５０  ウィンドウ
５１，５２，５３  スクロールバー
Ａ，Ｂ  情報フィールド
【図１】
2015059736.tif 000003
【図２】
2015059736.tif 000004
【図３】
2015059736.tif 000005
【図４】
2015059736.tif 000006
【図５】
2015059736.tif 000007
【国際調査報告】
2015059736.tif 000008
2015059736.tif 000009
2015059736.tif 000010
2015059736.tif 000011